(57)【要約】  本願は、ベースと、ベース上に配置される光分割構造、第１フィルタ、およびコリメーションレンズとを備える、光部品、光モジュール、および通信デバイスを提供する。ここで、第１経路上の第１光信号が、光入射口／光出射口を介して第１フィルタの光分割面に入射し、第１フィルタの光分割面は、第１光信号を第２経路に沿ってコリメーションレンズに反射し、第２経路上に配置されるコリメーションレンズは、第２経路上の第１光信号を平行光に変換するように構成され、第１光信号は、少なくとも１つのタイプの波長の信号を含み、光分割構造は、第１光信号がコリメーションレンズを通過した後の、第１光信号の出現経路上に配置され、波長のタイプに基づいて、コリメーションレンズにより調整される第１光信号を出力するように構成される。本願では、プラグイン端が第１光信号を送信した後、第１フィルタは、第１光信号に含まれる少なくとも２つの光信号を主光路から直接分離するように配置される。これによって、第１光信号に含まれる第１波長の光信号および第２波長の光信号が主光路から分離されるときにもたらされる複雑な光部品構造が回避される。
2021531505.tif 000002
【特許請求の範囲】
【請求項１】
ベースと、前記ベース上に配置される光分割構造、第１フィルタ、およびコリメーションレンズとを備える光部品であって、
前記ベースには、光入射口／光出射口が設けられ、前記第１フィルタの光分割面が、前記光入射口／光出射口に対向して配置され、第１経路上の第１光信号が、前記光入射口／光出射口を介して前記第１フィルタの前記光分割面に入射し、
前記第１フィルタの前記光分割面は、前記第１光信号を第２経路に沿って前記コリメーションレンズに反射し、前記第１経路は、前記第２経路と一致せず、前記コリメーションレンズは、前記第２経路上に配置され、前記コリメーションレンズは、前記第２経路上の前記第１光信号を平行光に変換するように構成され、
前記第１光信号に含まれる光信号が、少なくとも１つのタイプの波長を有し、前記光分割構造は、前記第１光信号が前記コリメーションレンズを通過した後の、前記第１光信号の出現経路上に配置され、前記波長のタイプに基づいて、前記コリメーションレンズにより調整される前記第１光信号を出力するように構成される、
光部品。
【請求項２】
前記第１光信号は、第１波長の光信号および第２波長の光信号を含み、前記第１波長の光信号および前記第２波長の光信号は、異なる波長を有し、前記光分割構造は、第２フィルタおよび第３フィルタを有し、
前記第２フィルタは、前記第１波長の光信号および前記第２波長の光信号が前記コリメーションレンズを通過した後の、前記第１波長の光信号および前記第２波長の光信号の前記出現経路上に配置され、前記第２フィルタは、前記第１波長の光信号を透過し、前記第２波長の光信号を第３経路に沿って反射し、前記第３経路は、前記第２経路と一致せず、
前記第３フィルタは、前記第３経路上に配置され、前記第３フィルタは、前記第２波長の光信号を第４経路に沿って反射し、前記第４経路は、前記第３経路と一致せず、
前記ベースには、第１光出射口および第２光出射口が更に設けられ、前記第１光出射口は、前記第２フィルタが前記第１波長の光信号を透過する透過経路上に配置され、前記第１光出射口は、前記第１波長の光信号が通過するために使用され、前記第２光出射口は、前記第４経路上に配置され、前記第２光出射口は、前記第２波長の光信号が通過するために使用される、
請求項１に記載の光部品。
【請求項３】
前記光部品は、第１光受信器および第２光受信器を更に備え、前記第１光受信器は、前記第１光出射口の出現経路上に配置されて、前記第１波長の光信号を受信し、前記第２光受信器は、前記第２光出射口の出現経路上に配置されて、前記第２波長の光信号を受信する、請求項２に記載の光部品。
【請求項４】
前記第２経路は、前記第４経路に平行である、請求項２に記載の光部品。
【請求項５】
前記光分割構造は、第４フィルタを更に有し、前記第４フィルタは、前記第３フィルタと前記第２光出射口との間の前記第４経路上に配置され、前記第４フィルタは、前記第２波長の光信号を透過する、請求項２に記載の光部品。
【請求項６】
前記光部品は、前記ベース上に配置される第５フィルタを更に備え、前記ベースには、少なくとも１つの光入射口が設けられ、光信号は、各光入射口を通過し、前記第５フィルタを照射し、前記第５フィルタは、前記光入射口を通過する前記光信号を第１光入射口に反射または透過し、前記光入射口を通過する光信号の波長は異なる、請求項１に記載の光部品。
【請求項７】
前記ベースには、２つの光入射口、すなわち、第１光入射口および第２光入射口が設けられ、前記第１光入射口は、前記光入射口／光出射口の反対側に配置され、第５経路上の第３光信号が、前記第１光入射口を通過し、前記光入射口／光出射口に入射し、
前記第５フィルタの光分割面が、前記第２光入射口に対向して配置され、第６経路上の第４光信号が、前記第２光入射口を介して前記第５フィルタの前記光分割面に入射し、前記第５フィルタは、前記第４光信号を第７経路に沿って前記光入射口／光出射口に反射する、
請求項６に記載の光部品。
【請求項８】
前記ベースは、接続管本体と、前記接続管本体上に配置される支持体とを有し、前記支持体は、第１支持体を含み、前記第１支持体は、前記第１フィルタおよび前記コリメーションレンズを固定するように構成され、前記光入射口／光出射口は、前記第１支持体上に配置される、請求項１から７のいずれか一項に記載の光部品。
【請求項９】
前記コリメーションレンズおよび前記第１支持体は、一体的に射出成型される、請求項８に記載の光部品。
【請求項１０】
前記支持体は、第２支持体を更に含み、前記第２支持体は、前記光分割構造を固定するように構成される、請求項８または９に記載の光部品。
【請求項１１】
前記光部品は、前記第２経路上に配置される第１収束レンズと、第４経路上に配置される第２収束レンズとを更に備え、前記第２支持体は、前記第１収束レンズおよび前記第２収束レンズを固定するように更に構成される、請求項１０に記載の光部品。
【請求項１２】
前記第１収束レンズおよび前記第２支持体は、一体的に射出成型され、前記第２収束レンズおよび前記第２支持体は、一体的に射出成型される、請求項１１に記載の光部品。
【請求項１３】
前記第１支持体および前記第２支持体は、一体的に射出成型される、請求項１０から１２のいずれか一項に記載の光部品。
【請求項１４】
前記光部品は、ピンおよびフェルールを更に備え、前記ピンには、フェルール孔が配置され、前記フェルール孔には、前記フェルールが固定され、前記ピンからは、前記フェルールの一端が突出し、前記光入射口／光出射口の内側には、前記ピンから突出する前記フェルールの端部が配置され、前記フェルールは、前記光入射口／光出射口により位置決めされる、請求項１から１３のいずれか一項に記載の光部品。
【請求項１５】
前記光部品は、前記ベース上に配置される多重化ベースの送信装置を更に備え、前記多重化ベースの送信装置は、前記光入射口／光出射口の反対側に配置され、前記多重化ベースの送信装置は、前記第５経路上の前記第３光信号および第４光信号を送信し、前記第５経路上の前記第３光信号および前記第４光信号は、前記光入射口／光出射口に送信される、請求項７に記載の光部品。
【請求項１６】
請求項１から１５のいずれか一項に記載の光部品を備える光モジュール。
【請求項１７】
請求項１６に記載の光モジュールを備える通信デバイス。
【発明の詳細な説明】
【技術分野】
【０００１】
本願は、光通信技術の分野、特に、光部品、光モジュール、および通信デバイスに関する。
【背景技術】
【０００２】
現代社会では、ネットワークスループット能力に対する需要が高まりつつある。光通信は現代の通信方式の主流であり、光通信における光通信ネットワークは主に受動光ネットワーク（ｐａｓｓｉｖｅ  ｏｐｔｉｃａｌ  ｎｅｔｗｏｒｋ、ＰＯＮ）の形態である。通信デバイスは主に、光モジュールと、光モジュールが設置される基板と、サブラック（光回線終端装置（ｏｐｔｉｃａｌ  ｌｉｎｅ  ｔｅｒｍｉｎａｌ、ＯＬＴ））とを含む。各光モジュールは、光分配ネットワーク（ｏｐｔｉｃａｌ  ｄｉｓｔｒｉｂｕｔｉｏｎ  ｎｅｔｗｏｒｋ、ＯＤＮ）に対応し、特定の数のユーザ（各光ネットワークユニット（ｏｐｔｉｃａｌ  ｎｅｔｗｏｒｋ  ｕｎｉｔ、ＯＮＵ）がユーザを表す）にサービスを提供する。光ネットワークの主要部品として、ＯＬＴおよびＯＮＵの光モジュールは、ネットワーク信号の、光から電気への変換および伝送を行う役割を果たし、ネットワーク全体における正常な通信の基盤である。
【０００３】
光モジュールの最も重要な部品は、光信号の送受信を実装するのに用いられる双方向光サブアセンブリ（ｂｉｄｉｒｅｃｔｉｏｎａｌ  ｏｐｔｉｃａｌ  ｓｕｂａｓｓｅｍｂｌｙ、ＢＯＳＡ）である。双方向光サブアセンブリは通常、同軸トランジスタアウトライン缶（ｔｒａｎｓｉｓｔｏｒ−ｏｕｔｌｉｎｅ  ｃａｎ、ＴＯ−ＣＡＮ）の形態でパッケージ化されて、チップのハーメチックパッケージを低コストで実装する。ＴＯ−ＣＡＮ上のキャップを使用して、チップから光ファイバへの光路の空間的光結合が実装される。ギガビット受動光ネットワーク（ｇｉｇａｂｉｔ  ｐａｓｓｉｖｅ  ｏｐｔｉｃａｌ  ｎｅｔｗｏｒｋ、ＧＰＯＮ）部品は一般的に、送信ＴＯおよび受信ＴＯを含む。ある規格によれば、異なる波長を使用して送受信が行われ、波長分割多重（ｗａｖｅｌｅｎｇｔｈ  ｄｉｖｉｓｉｏｎ  ｍｕｌｔｉｐｌｅｘｉｎｇ、ＷＤＭ）フィルタを使用して、光線の多重化および逆多重化が実装される。
【０００４】
ネットワーク帯域幅のアップグレードに伴い、ＧＰＯＮネットワークをＧＰＯＮから１０ＧＰＯＮにアップグレードする必要がある。互換性を確保するために、ＧＰＯＮおよび１０ＧＰＯＮは、同じＯＤＮネットワークに存在する必要がある。現在のところ、２つの共存モードがある。一方のモードは外部ＷＤＭ１ｒ方式である。ＧＰＯＮおよび１０ＧＰＯＮの両方が、独立した光モジュールである。これら２つのネットワークにより出力される光信号に対して外部ＷＤＭ１ｒ多重化が実行された後に、多重化された光信号がＯＤＮネットワークに送信されることで、これら２つのネットワークは互いに共存する。もう一方のモードでは、１０ＧＰＯＮ部品とＧＰＯＮ部品とを統合して１つの光モジュールにする。ＧＰＯＮ部品と１０ＧＰＯＮ部品とは組み合わされて、光モジュール、すなわち、Ｃｏｍｂｏ  ＰＯＮクワッド（ｑｕａｄ）光モジュールになる。Ｃｏｍｂｏ  ＰＯＮクワッド光モジュールの方式には、貴重な機械室のリソースを節約し、かつ、理論的には挿入損失を減らして電力予算を増やすなどの利点がある。従って、この方式は、通信事業者からより大きな支持を受けている。現在、この方式は、主流の１０ＧＰＯＮ方式になっており、ベンダの研究焦点にもなっている。
【０００５】
ＩＴＵ  ＰＯＮ分野の規格に関する規定によれば、ＧＰＯＮは、波長１４９０ｎｍの光を使用することにより送信を実行し、波長１３１０ｎｍの光信号を受信し、ＸＧＰＯＮは、波長１５７７ｎｍの光を使用することにより送信を実行し、波長１２７０ｎｍの光信号を受信する。従って、Ｃｏｍｂｏ部品では、これら２つの送受信グループで使用される合計４つの帯域で１つの光ファイバポートを共有する必要がある。また、各受信帯域は特定の分光幅を有する。例えば、ＧＰＯＮの受信波長範囲は１２９０ｎｍ〜１３３０ｎｍであり、１０ＧＰＯＮの受信波長範囲は１２６０ｎｍ〜１２８０ｎｍである。すなわち、部品内のＧＰＯＮおよび１０ＧＰＯＮの受信波長間隔間の差は、わずか１０ｎｍである。また、標準プロトコルでは、ＧＰＯＮおよび１０ＧＰＯＮの光分割アイソレーションが３０ｄＢを超える必要があり、これは、理論的には、平行光および小さな角度を使用することによってのみ実装され得る。現在、典型的なＣｏｍｂｏ  ＰＯＮ光部品は全て平行光路を使用している。コリメーションレンズは、ファイバコアの前端に設置される。第１フィルタが光を小さな角度で分割して波長１２７０ｎｍの光を分離し、主光路上の４５°の第２フィルタが波長１３１０ｎｍの残りの光を分離する。コリメーションレンズを送信光路に追加して、ファイバコアと結合する必要がある。ただし、ＧＰＯＮおよび１０ＧＰＯＮと互換性がある既存のネットワークには、光路部品およびデバイスの数が比較的多い、結合プロセスが複雑である、部品全体のサイズが大きいなどの欠点がある。
【発明の概要】
【０００６】
前述の技術的問題を考慮して、本願は、より単純な構造を使用することにより、複数の上り信号および複数の下り信号を分離および伝送するための光部品、光モジュール、および通信デバイスを提供する。
【０００７】
本願は、以下の技術的解決策を使用することにより実装される。
【０００８】
第１態様によれば、本願の特定の実施形態は、ベースと、ベース上に配置される光分割構造、第１フィルタ、およびコリメーションレンズとを備える光部品を提供する。ここで、ベースには、光入射口／光出射口が設けられ、第１フィルタの光分割面が、光入射口／光出射口に対向して配置され、第１経路上の第１光信号が、光入射口／光出射口を介して第１フィルタの光分割面に入射し、第１フィルタの光分割面は、第１光信号を第２経路に沿ってコリメーションレンズに反射し、第１経路は、第２経路と一致せず、コリメーションレンズは、第２経路上に配置され、コリメーションレンズは、第２経路上の第１光信号を平行光に変換するように構成され、第１光信号に含まれる光信号が、少なくとも１つのタイプの波長を有し、光分割構造は、第１光信号がコリメーションレンズを通過した後の、第１光信号の出現経路上に配置され、波長のタイプに基づいて、コリメーションレンズにより調整される第１光信号を出力するように構成される。
【０００９】
本願では、プラグイン端が第１光信号を送信した後、第１フィルタは、第１光信号（第１波長の光信号と第２波長の光信号とを含む上り信号）を主光路から直接分離するように配置される。これによって、第１光信号に含まれる第１波長の光信号および第２波長の光信号が主光路から別々に分離されるときにもたらされる複雑な光部品構造が回避される。
【００１０】
ある考えられる設計では、第１光信号は、第１波長の光信号および第２波長の光信号を含み、第１波長の光信号および第２波長の光信号は、異なる波長を有し、光分割構造は、第２フィルタおよび第３フィルタを有し、第２フィルタは、第１波長の光信号および第２波長の光信号がコリメーションレンズを通過した後の、第１波長の光信号および第２波長の光信号の出現経路上に配置され、第２フィルタは、第１波長の光信号を透過し、第２波長の光信号を第３経路に沿って反射し、第３経路は、第２経路と一致せず、第３フィルタは、第３経路上に配置され、第３フィルタは、第２波長の光信号を第４経路に沿って反射し、第４経路は、第３経路と一致せず、ベースには、第１光出射口および第２光出射口が更に設けられ、第１光出射口は、第２フィルタが第１波長の光信号を透過する透過経路上に配置され、第１光出射口は、第１波長の光信号が通過するために使用され、第２光出射口は、第４経路上に配置され、第２光出射口は、第２波長の光信号が通過するために使用される。
【００１１】
本願では、光分割構造は、主光路から分離される少なくとも２つの発散する信号を分離し、かつ、これらの分離された信号を異なる光出射口から出力するように配置される。
【００１２】
ある考えられる設計では、光部品は、第１光受信器および第２光受信器を更に備え、第１光受信器は、第１光出射口の出現経路上に配置されて、第１波長の光信号を受信し、第２光受信器は、第２光出射口の出現経路上に配置されて、第２波長の光信号を受信する。
【００１３】
本願では、異なる光出射口から出力される光信号が、異なる光受信器を使用することにより受信される。
【００１４】
ある考えられる設計では、第２経路は第４経路に平行である。
【００１５】
本願では、出力される第１波長の光信号の第２経路を、出力される第２波長の光信号の第４経路に平行にすることで、第１波長の光信号を受信する第１光受信器と、第２波長の光信号を受信する第２光受信器とを互いに平行に配置することができ、それにより、より単純な構造が形成される。
【００１６】
ある考えられる設計では、光分割構造は、第４フィルタを更に有し、第４フィルタは、第３フィルタと第２光出射口との間の第４経路上に配置され、第４フィルタは、第２波長の光信号を透過する。
【００１７】
第４フィルタが第３フィルタと第２光出射口との間の第４経路上に配置され、第２波長の光信号が第４フィルタを使用することによりフィルタリングされることで、第２光受信器が第２波長の光信号以外の信号を受信することが防止される。
【００１８】
ある考えられる設計では、光部品は、ベース上に配置される第５フィルタを更に備え、ベースには、少なくとも１つの光入射口が設けられ、光信号は、各光入射口を通過し、第５フィルタを照射し、第５フィルタは、光入射口を通過する光信号を光入射口／光出射口に反射または透過し、光入射口を通過する光信号の波長は異なる。
【００１９】
本願では、光入射口が配置され、光入射口には、上り信号を送信するための装置が配置される。このように、デバイス全体の上り信号および下り信号が同時に伝送され得る。
【００２０】
ある考えられる設計では、ベースには、２つの光入射口、すなわち、第１光入射口および第２光入射口が設けられ、第１光入射口は、光入射口／光出射口の反対側に配置され、第５経路上の第３光信号が、第１光入射口を通過し、光入射口／光出射口に入射し、第５フィルタの光分割面が、第２光入射口に対向して配置され、第６経路上の第４光信号が、第２光入射口を介して第５フィルタの光分割面に入射し、第５フィルタは、第４光信号を第７経路に沿って光入射口／光出射口に反射する。
【００２１】
光部品の光入射口がＧＰＯＮ要件を満たし、かつ、１０ＧＰＯＮの下り信号伝送と互換性があるように、２つの下り信号の光入射口が配置される。
【００２２】
ある考えられる設計では、ベースは、接続管本体と、接続管本体上に配置される支持体とを含み、支持体は、第１支持体を含み、第１支持体は、第１フィルタおよびコリメーションレンズを固定するように構成され、光入射口／光出射口は、第１支持体上に配置され、接続管本体は、第５フィルタを固定するように構成され、第１光出射口、第２光出射口、および少なくとも１つの光入射口は、接続管本体上に配置される。
【００２３】
第１支持体が配置され、第１支持体上に、上り信号を主光路から分離するための光デバイスが配置されることで、光部品内の光デバイスの配置がより便利になる。
【００２４】
ある考えられる設計では、コリメーションレンズおよび第１支持体は、一体的に射出成型される。
【００２５】
第１支持体は一体的に射出成型され、第１支持体は全体として装着され、それにより、より単純な構造が形成される。
【００２６】
ある考えられる設計では、支持体は第２支持体を更に含み、第２支持体は、光分割構造を固定するように構成される。
【００２７】
第２支持体が配置され、第２支持体上には、光分割構造が配置される。これによって、第１支持体が過度に複雑であることに起因する、支持体上に光デバイスを配置する手間が回避される。
【００２８】
ある考えられる設計では、光部品は、第２経路上に配置される第１収束レンズと、第４経路上に配置される第２収束レンズとを更に備え、第２支持体は、第１収束レンズおよび第２収束レンズを固定するように更に構成される。
【００２９】
収束レンズが第２支持体上に配置されることで、第１光受信器および第２光受信器に収束レンズが設けられることが回避される。このように、第１光受信器および第２光受信器の構造がより単純になる。
【００３０】
ある考えられる設計では、第１収束レンズおよび第２支持体は、一体的に射出成型され、第２収束レンズおよび第２支持体は、一体的に射出成型される。
【００３１】
収束レンズおよび第２支持体が一体的に射出成型されることで、支持体上の収束レンズの位置がより正確になり、それにより、分解および組み立ての手間が回避される。
【００３２】
ある考えられる設計では、第１支持体および第２支持体は、一体的に射出成型される。
【００３３】
第１支持体および第２支持体が一体的に射出成型されることで、光部品全体における支持体の構造がより単純になる。
【００３４】
ある考えられる設計では、光部品は、ピンおよびフェルールを更に備え、ピンには、フェルール孔が配置され、フェルール孔には、フェルールが固定され、ピンからは、フェルールの一端が突出し、光入射口／光出射口の内側には、ピンから突出するフェルールの端部が配置され、フェルールは、光入射口／光出射口により位置決めされる。
【００３５】
プラグイン端のフェルールが、位置決めのために光入射口／光出射口に配置され、ピンを介して支持体に固定されることで、プラグイン端と支持体との間の接続位置がより正確になり、接続がより安定的になる。
【００３６】
ある考えられる設計では、光部品は、ベース上に配置される多重化ベースの送信装置を更に備え、多重化ベースの送信装置は、光入射口／光出射口の反対側に配置され、多重化ベースの送信装置は、第５経路上の第３光信号および第４光信号を送信し、第５経路上の第３光信号および第４光信号は、光入射口／光出射口に送信される。
【００３７】
本願では、多重化ベースの送信装置を使用することにより複数の下り信号が送信されることで、ベース上に配置される、下り信号を送信するための構造がより単純になる。
【００３８】
第２態様によれば、本願の特定の実施形態は、第１態様の任意の設計に係る光部品を含む光モジュールを提供する。
【００３９】
第３態様によれば、本願の特定の実施形態は、第２態様に係る光モジュールを含む通信デバイスを提供する。通信デバイスは、ＯＬＴ、ＯＮＵ、または別の電子デバイスであってよい。
【図面の簡単な説明】
【００４０】
【図１】本願の特定の実施形態に係るＧＰＯＮおよび１０ＧＰＯＮと互換性がある受動光ネットワークアクセスネットワークを示す。
【００４１】
【図２】本願の特定の実施形態に係るクワッド光部品の概略構造図である。
【００４２】
【図３】本願の特定の実施形態に係る光分割構造を示す。
【００４３】
【図４】本願の特定の実施形態に係る別のクワッド光部品の概略構造図である。
【００４４】
【図５】本願の特定の実施形態に係る第３光送信器を示す。
【００４５】
【図６】本願の特定の実施形態に係る光部品の概略構造図である。
【００４６】
【図７】本願の特定の実施形態に係る支持体の概略構造図である。
【００４７】
【図８】本願の特定の実施形態に係る第２支持体を示す。
【００４８】
【図９】本願の特定の実施形態に係る支持体の概略図である。
【発明を実施するための形態】
【００４９】
以下では、添付図面を参照しながら、本願の実施形態で提供する技術的解決策について詳述する。
【００５０】
本願の特定の実施形態は、光部品を提供する。光部品を使用することにより、複数の上り信号および／または複数の下り信号が主光路から分離される。これによって、複数の上り信号および複数の下り信号を主光路上で同時に伝送することに起因して、主光路上のデバイスの数が比較的多くなり、かつ、コストが比較的高くなることが回避される。また、本願の光部品がベースを更に含み、ベース上に、光部品に含まれる複数の光デバイスなどが全て配置されることで、光部品の配置がより便利になる。
【００５１】
本願では、特定のシナリオに応じて、これら複数の上り信号の数およびこれら複数の下り信号の数が決定され得る。本願ではこれについて限定しない。勿論、これら複数の上り信号の数は、これら複数の下り信号の数と同じであってもよいし、異なっていてもよい。本願は、ＧＰＯＮおよび１０ＧＰＯＮと互換性がある受動光ネットワークアクセスネットワークを例として使用することにより、以下に説明を提供する。勿論、複数の上り信号および複数の下り信号を多重化および逆多重化するための光部品は代替的に、別のシナリオにも適用され得る。本願ではこれについて限定しない。
【００５２】
図１は、本願の特定の実施形態に係るＧＰＯＮおよび１０ＧＰＯＮと互換性がある受動光ネットワークアクセスネットワークを示す。図１に示すように、受動光ネットワークアクセスネットワークは、光回線終端装置（Ｏｐｔｉｃａｌ  Ｌｉｎｅ  Ｔｅｒｍｉｎａｌ、ＯＬＴ）と、複数の光分配ネットワーク（ｏｐｔｉｃａｌ  ｄｉｓｔｒｉｂｕｔｉｏｎ  ｎｅｔｗｏｒｋ、ＯＤＮ）デバイスとを含む。光回線終端装置は、複数の光分配ネットワークデバイスに接続され、受信される電気信号を光信号に変換し、この光信号をこれらの光分配ネットワークデバイスに伝送する。また、ＯＬＴは、ＯＮＵの制御機能、管理機能、測距機能、および他の機能を実装するように更に構成され得る。ＯＤＮデバイスは、ユーザ側の光ネットワークユニット（Ｏｐｔｉｃａｌ  Ｎｅｔｗｏｒｋ  Ｕｎｉｔ、ＯＮＵ）に接続し、かつ、ユーザ側のＯＮＵデバイスにデータ信号（光信号）を送信するように構成される。
【００５３】
本願のこの特定の実施形態では、受動光ネットワークアクセスネットワークは、ＧＰＯＮおよび１０ＧＰＯＮと互換性がある受動光ネットワークアクセスネットワークである。従って、ＯＬＴによりＯＤＮに送信される信号は、ＧＰＯＮの光信号および１０ＧＰＯＮの光信号の両方を含む。ＯＤＮデバイスは、複数の異なるＯＮＵタイプ（ユーザにより購入され、かつ、ＯＮＵに対応する、ネットワーク帯域幅）に基づいて、ＧＰＯＮまたは１０ＧＰＯＮ要件を満たすデータサービスを複数の異なるＯＮＵに提供する。
【００５４】
次に、ＯＮＵデバイスは、ＯＤＮにより送信される下り信号を光信号から電気信号に変換して、ユーザにネットワークサービスを提供する。ＯＮＵデバイスは、ユーザによりＯＮＵデバイスに送信される上り信号を電気信号から光信号に変換し、この光信号をＯＤＮを介してＯＬＴに送信する。
【００５５】
国際電気通信連合（Ｉｎｔｅｒｎａｔｉｏｎａｌ  Ｔｅｌｅｃｏｍｍｕｎｉｃａｔｉｏｎ  Ｕｎｉｏｎ、ＩＴＵ）により提供される、受動光ネットワーク（Ｐａｓｓｉｖｅ  Ｏｐｔｉｃａｌ  Ｎｅｔｗｏｒｋ、ＰＯＮ）分野の規格に関する規定によれば、ＧＰＯＮは、波長１４９０（１４８０−１５００）ｎｍの光を使用して下り信号を送信し、波長１３１０ｎｍの光を使用して上り信号を送信し、ＸＧＰＯＮは、波長１５７７（１５７５−１５８０）ｎｍの光を使用して下り信号を送信し、波長１２７０ｎｍの光を使用して上り信号を送信する。すなわち、部品内のＧＰＯＮおよび１０ＧＰＯＮの受信波長間隔間の差は、わずか１０ｎｍである。従って、クワッド光部品では、２つのグループの送受信される光信号、すなわち、波長が異なる合計４つの光信号で１つの光ファイバポートを共有する必要がある。
【００５６】
本願のこの特定の実施形態におけるＯＬＴは、クワッド光モジュールを更に含む。クワッド光モジュールによって、ＯＬＴは、ＧＰＯＮの１４９０−ｎｍの上り信号およびＸＧＰＯＮの１５７７−ｎｍの上り信号を受信することができる。クワッド光モジュールは、ＧＰＯＮの１２７０−ｎｍの下り信号およびＸＧＰＯＮの１３１０−ｎｍの下り信号をＯＬＴのためにＯＮＵに送信する。
【００５７】
以下では、２つの上り光信号および２つの下り光信号を伝送するためのクワッド光デバイスの構造について説明する。
【００５８】
図２は、本願の特定の実施形態に係るクワッド光部品の概略構造図である。図２に示すように、クワッド光部品は、ベースと、ベース上に配置される光分割構造、第１フィルタ、コリメーションレンズ、第２フィルタ、および第３フィルタとを含む。
【００５９】
ベースには、光入射口／光出射口、第１光入射口、第２光入射口、第１光出射口、および第２光出射口が更に設けられる。光入射口／光出射口には、プラグイン端が更に配置され、プラグイン端は、第１波長の光信号および／または第２波長の光信号（第１光信号）を受信し、第３光信号および第４光信号を送信する。第１光入射口および第２光入射口には、第１光送信器および第２光送信器が更にそれぞれ配置される。第１光送信器は、第３光信号を送信し、第２光送信器は、第４光信号を送信する。第１光出射口および第２光出射口には、第１光受信器および第２光受信器が更にそれぞれ配置される。第１光受信器は、光入射口／光出射口から送信される第１波長の光信号を受信し、第２光受信器は、光入射口／光出射口から送信される第２波長の光信号を受信する。
【００６０】
一例では、プラグイン端は、第１光信号を受信し、第１光信号は、第１波長の光信号および第２波長の光信号を含む。第１波長の光信号は、１０ＧＰＯＮ要件を満たす上り信号であり、第１波長の光信号は、周波数帯域１２６０ｎｍ〜１２８０ｎｍの光信号である。第２波長の光信号は、１０ＧＰＯＮ要件を満たす下り信号であり、第２波長の光信号は、１３００ｎｍ〜１３２０ｎｍの光信号である。勿論、第１波長の光信号は、１２７０ｎｍの光信号とも称されてよく、第２波長の光信号は、１３１０ｎｍの光信号とも称されてよい。第１光送信器により送信される第３光信号は、ＧＰＯＮ要件を満たす上り信号であり、第３光信号は、周波数帯域１４８０ｎｍ〜１５００ｎｍの光信号である。第２光送信器により送信される第４光信号は、１０ＧＰＯＮ要件を満たす上り信号であり、第４光信号は、１５７５ｎｍ〜１５８０ｎｍの光信号である。勿論、代替的に、第１波長の光信号は、１３１０ｎｍの光信号であってよく、第２波長の光信号は、１２７０ｎｍの光信号であってよく、第３光信号は、１４９０ｎｍの光信号であってよく、第４光信号は、１５７７ｎｍの光信号であってよい。
【００６１】
プラグイン端により受信される第１光信号は、第１経路上の第１光信号であり、第１経路上の第１光信号は、光入射口／光出射口を通過した後に送信される。第１光信号は、第１波長の光信号および第２波長の光信号を含み、第１波長の光信号および第２波長の光信号は、発散する光信号である。
【００６２】
第１フィルタの光分割面が、光入射口／光出射口に対向して配置され、光入射口／光出射口を通過する第１光信号は、第１フィルタの光分割面を照射することができる。第１フィルタは、第１光信号（第１波長の光信号および第２波長の光信号）を反射する。すなわち、第１フィルタは、周波数帯域（波長）１２６０ｎｍ〜１３２０ｎｍの光信号を反射する。
【００６３】
第１フィルタは、第２経路に第１光信号を反射し、第２経路は、第１経路と一致しない。具体的には、第１光信号が第１フィルタにより反射される前後の経路が異なるので、第１光信号が第１経路に沿って光入射口／光出射口を逆向きに通過しないことが保証され得る。
【００６４】
コリメーションレンズは、第１フィルタが第１光信号を反射する第２経路上に更に含まれ、第１フィルタにより第２経路に反射される第１光信号は、コリメーションレンズを照射する。コリメーションレンズは、非平行な光信号を平行な光信号に変換し、次に、平行な光信号を透過する、レンズである。コリメーションレンズを照射する第１光信号は、コリメーションレンズを通過し、コリメーションレンズを通過した第１光信号に含まれる光信号は、平行な光信号である。
【００６５】
第１光信号がコリメーションレンズを通過した後、第１光信号の出現方向に光分割構造が更に配置される。光分割構造は、平行な第１光信号に含まれる第１波長の光信号および第２波長の光信号を、異なる光出射口を介して出力するように構成される。光分割構造には複数の形態があってよい。本願ではこれについて限定しない。
【００６６】
任意選択で、コリメーションレンズと光分割構造との間には、第２フィルタが更に配置され得る。第２フィルタは、周波数帯域１２６０ｎｍ〜１３２０ｎｍの光信号を透過してよい。第２フィルタが、コリメーションレンズを通過し、かつ、別の周波数帯域にある、周波数帯域１２６０ｎｍ〜１３２０ｎｍの光信号以外の光信号をフィルタリングするように構成されることで、第２フィルタを通過して光分割構造に入る光信号が、別の周波数帯域にある、周波数帯域１２６０ｎｍ〜１３２０ｎｍの光信号以外の光信号を含むことが回避される。
【００６７】
光入射口／光出射口から遠く離れているベースの側面上には、第１光入射口が配置され、第１フィルタの両側には、光入射口／光出射口および第１光入射口がそれぞれ配置される。第１光入射口には、第１光送信器が更に配置され、第１光入射口に配置される第１光送信器は、第３光信号を送信し、第３光信号の経路は、Ａ番目の経路である。第３光信号は、収束光信号である。Ａ番目の経路上の第３光信号が第１フィルタを通過し、光入射口／光出射口に送信されることで、プラグイン端は、第３光信号を受信することができる。特殊な例では、第１経路とＡ番目の経路との間の位相差が１８０°である。
【００６８】
第１フィルタと第１光入射口との間には、第２光入射口が配置され、第２光入射口には、第２光送信器が更に配置され、第２光入射口に配置される第２光送信器は、第４光信号を送信し、第４光信号は、Ｂ番目の経路上の光信号である。Ｂ番目の経路上の第４光信号は、Ａ番目の経路上の第３光信号と重複する。第４光信号は、収束光信号である。
【００６９】
第３フィルタは、Ｂ番目の経路がＡ番目の経路と交差する位置に配置される。一例では、第３光信号が水平方向の光信号である場合に、第４光信号は、第３光信号と重複する。
【００７０】
第３フィルタは、第４光信号を反射し、第３光信号を透過する。第３フィルタの光分割面が、第２光入射口に対向して配置される。Ｂ番目の経路上の第４光信号は、第３フィルタの光分割面に入射し、第３フィルタは、第４光信号をＣ番目の経路に沿って反射する。第３フィルタによりＣ番目の経路上に反射される第４光信号が光入射口／光出射口に送信されることで、プラグイン端は、第４光信号を受信することができる。
【００７１】
任意選択で、第１光入射口と第３フィルタとの間のＡ番目の経路上のベース上には、第４フィルタが更に配置され、第４フィルタは、第３光信号を透過する。
【００７２】
本願のこの特定の実施形態では、各フィルタが本願の特定の実施形態に過ぎず、本願のこの実施形態に基づく機能要件に応じて、別のフィルタが代替的に本願の光部品に追加され得る。
【００７３】
なお、本願における上述した各フィルタの断面形状が長方形であることは、本願における特定の例に過ぎず、本願を限定するために使用することはできない。本願におけるフィルタの断面形状は代替的に、その形状が特定の波長の光信号を反射するために使用され得る限り、台形などの任意の他の形状に設定され得る。本願ではこれについて限定しない。一例では、フィルタの断面形状が台形である場合、台形の斜辺がフィルタの反射面である。
【００７４】
本願では、プラグイン端が第１光信号を受信した後、第１フィルタは、第１光信号（第１波長の光信号と第２波長の光信号とを含む上り信号）を主光路から分離するために直接使用される。これによって、第１光信号に含まれる第１波長の光信号および第２波長の光信号が主光路から別々に分離されるときにもたらされる、複雑な光部品構造および過剰なコリメーションレンズの使用の問題が回避され、それにより、光部品の構造が簡素化され、光部品のコストが削減される。
【００７５】
図３は、本願の特定の実施形態に係る光分割構造を示す。図３に示すように、光分割構造は、コリメーションレンズにより透過され、かつ、第１波長の光信号および第２波長の光信号を含む、第１光信号を、第１波長の光信号および第２波長の光信号に分割するように構成され、これらの光信号を、異なる光出射口を介して出力するように構成される。図３に示すように、光分割構造は、第５フィルタ、第６フィルタ、および第７フィルタを含む。
【００７６】
第１光信号の、コリメーションレンズを介して透過される光信号は、第１波長の光信号および第２波長の光信号を含み、第１波長の光信号および第２波長の光信号は、どちらも平行な光信号である。
【００７７】
第１光信号がコリメーションレンズを通過する方向には、第５フィルタが更に配置される。第５フィルタは、第１波長の光信号を反射し、かつ、第２波長の光信号を透過するように構成される、または、第５フィルタは、第２波長の光信号を反射し、かつ、第１波長の光信号を透過するように構成される。すなわち、第５フィルタは、第１波長の光信号および第２波長の光信号の両方をフィルタリングするように構成され得る。本願ではこれについて限定しない。
【００７８】
以下では、第５フィルタが第２波長の光信号を反射し、かつ、第１波長の光信号を透過する例を使用することにより、詳細な説明を提供する。第５フィルタの光分割面を、第５フィルタを通過する光分割面に垂直にしないことで、第５フィルタが第２経路と反対の方向に第２波長の光信号を反射することが回避される。
【００７９】
光分割構造に対応するベース上には、第１光出射口および第２光出射口が更に配置される。
【００８０】
第１光出射口は、第５フィルタを通過する第１波長の光信号の送信方向にベース上に配置される。第１光出射口の内側には第１光受信器が配置され、第１光受信器は、第１波長の光信号を受信し、ユーザ側に第１波長の光信号を送信する。
【００８１】
任意選択で、第１光出射口と第５フィルタとの間には、収束レンズが更に配置され、収束レンズは、第５フィルタを通過する第１波長の光信号の平行光を収束光に変換するように構成される。
【００８２】
第５フィルタは、第２波長の光信号を第３経路に沿って反射する。第５フィルタが第２波長の光信号を第３経路に沿って反射する方向には、第６フィルタが更に配置され、第６フィルタは、第２波長の光信号を反射する。第６フィルタは、第２波長の光信号を第４経路に沿って反射し、第４経路は、第３経路と一致しない。
【００８３】
一例では、第５フィルタおよび第６フィルタは、互いに平行に配置される。第５フィルタが第６フィルタに平行である場合は、第２波長の光信号が反射される方向が、第１光信号がコリメーションレンズを通過する方向と同じかつ平行である。
【００８４】
第２光出射口は、第６フィルタが第２波長の光信号を反射する第４経路上に配置される。第２光出射口には、第２光受信器が配置され、第２光受信器は、第２波長の光信号を受信し、かつ、対応するユーザ側に第２波長の光信号を送信するように構成される。
【００８５】
任意選択で、第２光出射口と第６フィルタとの間には、収束レンズおよび第７フィルタが更に配置され、第２波長の光信号は、収束レンズおよび第７フィルタを介して透過される。第７フィルタおよび収束レンズは、重複するように配置される。第７フィルタは、第２波長の光信号以外の光信号をフィルタリングして、第２光受信器により受信される他の混合信号を低減するように構成される。収束レンズは、第６フィルタにより反射される第２波長の光信号の平行光を収束光に変換するように構成され、第２光受信器により実行される信号受信が容易になる。
【００８６】
本願のこの特定の実施形態では、第１光送信器および第２光送信器が、独立した構造であってよい。以下では、特定の実施形態を使用することにより、詳細な説明を別々に提供する。
【００８７】
なお、本願のこの特定の実施形態では、光分割構造が収束レンズを含むことは例に過ぎない。本願のこの特定の実施形態では、光分割構造は代替的に、収束レンズを含まない場合がある。光分割構造が収束レンズを含まない場合は、第１光出射口および第２光出射口の内側に配置される第１光受信器および第２光受信器がそれぞれ収束レンズを含むことで、第５フィルタを通過する第１波長の光信号の平行光が収束光に変換され、第６フィルタにより反射される第２波長の光信号の平行光が収束光に変換される。
【００８８】
図４は、本願の特定の実施形態に係る別のクワッド光部品の概略構造図である。図４に示すように、クワッド光部品の概略構造図は、図２に示すクワッド光部品の構造に基づく改善を示す。クワッド光部品は、ベースと、ベース上に配置される光分割構造、第１フィルタ、第２フィルタ、第４フィルタ、およびコリメーションレンズとを含む。図４に示す例では、ベースには、光入射口、第１光出射口、および第２光出射口が更に設けられる。ベース上に配置される光入射口／光出射口、第１光出射口、および第２光出射口と、ベース上に配置される第１フィルタ、コリメーションレンズ、第２フィルタ、光分割構造、および第４フィルタとは、図２および図３の対応する部分と同じ構造、位置、機能を有する。本願では詳細について説明しない。
【００８９】
ベース上に配置される光入射口は、図２に示す第１光入射口と同じ位置に配置される。図４に示す光入射口には、第３光送信器が更に接続され、第３光送信器は、多重化を通じて第３光信号および第４光信号を送信するように構成される。第３光信号および第４光信号は、図２に示すものと同じであってよい。本願では詳細について説明しない。
【００９０】
図５は、本願の特定の実施形態に係る第３光送信器を示す。図５に示すように、第３光送信器は、１５５７−ｎｍのレーザ信号送信器、１４９０−ｎｍのレーザ信号送信器、および波長分割多重フィルタ（Ｗａｖｅｌｅｎｇｔｈ  ｄｉｖｉｓｉｏｎ  ｍｕｌｔｉｐｌｅｘｉｎｇ  ｆｉｌｔｅｒ、ＷＤＭ  ｆｉｌｔｅｒ）を含む。波長分割多重フィルタ（多重化ベースの送信装置）は、波長分割多重チップ（Ｗａｖｅｌｅｎｇｔｈ  ｄｉｖｉｓｉｏｎ  ｍｕｌｔｉｐｌｅｘｉｎｇ  ｃｈｉｐ、ＷＤＭ  ｃｈｉｐ）およびレーザ信号送信器を含む。１５５７−ｎｍのレーザ信号送信器は、１５５７−ｎｍのレーザ信号を送信するように構成され、波長分割多重チップには、１５５７−ｎｍのレーザ信号送信器により出力される信号が結合される。１４９０−ｎｍのレーザ信号送信器は、１４９０−ｎｍのレーザ信号を送信するように構成され、波長分割多重チップには、１４９０−ｎｍのレーザ信号送信器により出力される信号が電気的に接続される。波長分割多重チップは、１５５７−ｎｍのレーザ信号送信器により出力される信号および１４９０−ｎｍのレーザ信号送信器により出力される信号に従って、多重化された第３光信号および第４光信号を取得するための変調を実行するように構成される。レーザ信号送信器は、波長分割多重チップに接続され、対応するレーザ信号を送信する。レーザ信号送信器による多重化を通じて送信される第３光信号および第４光信号は、光入射口を介して出力される。
【００９１】
任意選択で、１５５７−ｎｍのレーザ信号送信器の信号出力インタフェースおよび１４９０−ｎｍのレーザ信号送信器の信号出力インタフェースは、どちらもバックライト検出デバイスに接続される。バックライト検出デバイスは、１５５７−ｎｍのレーザ信号送信器により送信される取得された信号、および、１４９０−ｎｍのレーザ信号送信器により送信される取得された信号の光強度を、これらの信号に基づいて決定するように構成される。バックライト検出デバイスは更に、各レーザ信号送信器により送信される光信号の光強度が所定の閾値未満であると決定すると、対応するレーザ信号送信器に情報を送信し、情報は、送信される光信号の光強度を高めるようにレーザ信号送信器に命令するために使用される。
【００９２】
本願の前述の実施形態では、第３光送信器は、多重化を通じて第３光信号および／または第４光信号を送信する。光部品が同じ効果を達成するために使用するデバイスはより少ないので、クワッド光部品の構造がより単純である。
【００９３】
特定の例では、バックライト検出デバイスは、１４９０−ｎｍのレーザ信号送信器に対応する光強度閾値および１５５７−ｎｍのレーザ信号送信器に対応する光強度閾値を記憶する。バックライト検出デバイスは、１５５７−ｎｍのレーザ信号送信器の信号出力インタフェースから、１５５７−ｎｍのレーザ信号送信器により送信される光信号の強度を取得する。バックライト検出デバイスは、１５５７−ｎｍのレーザ信号送信器により送信される光信号の強度を、１５５７−ｎｍのレーザ信号送信器に対応する記憶された光強度閾値と比較する。１５５７−ｎｍのレーザ信号送信器により送信される光信号の強度が光強度閾値の範囲内にある場合は、バックライト検出デバイスは、いかなる処理も実行せず、１５５７−ｎｍのレーザ信号送信器により送信される光信号の強度が光強度閾値の範囲外にある場合は、バックライト検出デバイスは、１５５７−ｎｍのレーザ信号送信器に指示情報を送信する。１５５７−ｎｍのレーザ信号送信器は、指示情報に基づいて調整される、送信される光信号の光強度を送信する。
【００９４】
任意選択で、第３光送信器は、収束レンズ（キャップ）を更に含み、キャップは、多重化を通じてレーザ信号送信器により送信される第３光信号および第４光信号の経路上に配置される。収束レンズは、第３光送信器のパッケージ構造上またはベース上に配置され得る。本願ではこれについて限定しない。
【００９５】
以下では、特定の実施形態を使用することによりベースについて詳述する。
【００９６】
図６は、本願の特定の実施形態に係る光部品の概略構造図である。図６に示すように、光部品は、ベースと、ベース上に配置される光デバイスおよびプラグイン端６０３とを含む。光デバイスは、図２から図５の第１フィルタ、第２フィルタ、第３フィルタ、第４フィルタ、光分割構造、およびコリメーションレンズなどを含む。
【００９７】
ベースは、支持体６０１および接続管本体６０２を含み、支持体６０１は、接続管本体６０２の内側に配置される。
【００９８】
本願のこの特定の実施形態では、支持体６０１上には、コリメーションレンズ、第１フィルタ、およびプラグイン端６０３が配置され、接続管本体６０２上には、光分割構造および第３フィルタが配置される。
【００９９】
以下では、支持体６０１と、支持体６０１上に配置されるコリメーションレンズ、第１フィルタ、およびプラグイン端６０３との構造について詳述する。
【０１００】
図７は、本願の特定の実施形態に係る支持体の概略構造図である。図７に示すように、支持体は、支持体６０１と、支持体６０１上に配置されるコリメーションレンズ７０１、第１フィルタ７０２、および第１接続孔７０３とを含む。
【０１０１】
支持体６０１の一方の側には第１接続孔７０３があり、第１接続孔７０３は、プラグイン端６０３を収容するために使用される。第１接続孔７０３の形状およびサイズは、第１接続孔７０３に挿入されるプラグイン端６０３のものと一致する。プラグイン端６０３は、光信号を入力／出力するように構成される。本願のこの実施形態では、プラグイン端６０３は、第１経路上で第１光信号を受信することができ、第１光信号は、第１波長の光信号および第２波長の光信号を含む。第１波長の光信号および第２波長の光信号は、図１および図２に示すものと同じであってよい。
【０１０２】
第１接続孔７０３に対して支持体６０１のもう一方の側には、第１フィルタ取り付け場所７０４が更に含まれ、第１フィルタ取り付け場所７０４には、第１フィルタ７０２が配置され得る。
【０１０３】
支持体６０１には、支持体６０１を貫通する第１光貫通孔７０５が更に設けられる。第１光貫通孔７０５の一方の側は、第１接続孔７０３を貫通し、第１光貫通孔７０５のもう一方の側は、第１フィルタ取り付け場所７０４を貫通する。任意選択で、第１光貫通孔７０５は更に、第１経路と一致して、第１光信号が第１光貫通孔７０５の内壁を照射するときにもたらされる信号干渉を回避する。
【０１０４】
プラグイン端６０３により出力される第１波長の光信号および第２波長の光信号は、第１光貫通孔７０５を介して、第１フィルタ取り付け場所７０４に配置される第１フィルタ７０２を照射する。
【０１０５】
一例では、第１光貫通孔７０５および第１フィルタ取り付け場所７０４の両方の断面が円筒形である場合は、第１光貫通孔７０５の軸と第１フィルタ取り付け場所７０４の端面との間の夾角が９０度に等しくない。すなわち、第１フィルタ取り付け場所７０４は、第１光貫通孔７０５の軸に対して斜めに配置される。第１フィルタ７０２は、第１フィルタ取り付け場所７０４に配置され、第１フィルタ取り付け場所７０４に配置される第１フィルタ７０２は、第１光信号を第２経路に沿って反射する。第１経路は、第２経路と一致しない。支持体６０１上の第１フィルタ７０２が第１光信号を反射する第２経路上には、第２光貫通孔７０６が更に含まれ、第２光貫通孔７０６は、第１光貫通孔７０５を貫通する。
【０１０６】
コリメーションレンズ７０１は、第２光貫通孔７０６に配置される。第１フィルタ７０２により第２経路に沿って反射される第１光信号は、コリメーションレンズ７０１を通過する。コリメーションレンズ７０１は、第１フィルタ７０２によりコリメーションレンズ７０１に反射される発散する第１光信号を、出力用の平行な第１光信号に変換するように構成される。すなわち、コリメーションレンズ７０１に入力される第１光信号は、発散する光信号であり、コリメーションレンズ７０１により出力される第１光信号は、平行な光信号である。
【０１０７】
任意選択で、支持体６０１は、射出成型技術を使用することにより処理および成型され得る。第１フィルタ７０２は、射出成型された支持体６０１の第１フィルタ取り付け場所７０４に直接設置され得る。代替的に、第１フィルタ７０２が支持体６０１の射出成型プロセス中に射出成型モデルの対応する位置に配置され得ることで、射出成型された支持体６０１および第１フィルタ７０２は、全体を形成する。コリメーションレンズ７０１が支持体６０１の射出成型プロセス中に射出成型モデルの対応する位置に配置され得ることで、射出成型された支持体６０１およびコリメーションレンズ７０１は、全体を形成する。
【０１０８】
コリメーションレンズ７０１を通過する第１光信号（第１波長の光信号および第２波長の光信号を含む）は、接続管本体６０２上に配置される第１光出射口および第２光出射口を介して出力される。
【０１０９】
接続管本体６０２は、中央部が切り開かれたシェル構造であり、シェル６０４および貫通孔６０５を含む。
【０１１０】
貫通孔６０５の一方の側には、支持体６０１が配置される。支持体６０１の第１接続孔７０３の一方の側は、接続管本体６０２の端面に近く、支持体６０１上の第１フィルタ取り付け場所７０４の一方の側は、接続管本体６０２の端面から遠く離れている。第１光信号は、コリメーションレンズ７０１を通過し、第１光受信器および第２光受信器は、接続管本体６０２のシェル６０４上に更に配置され、コリメーションレンズを通過する第１波長の光信号および第２波長の光信号は、第１光受信器および第２光受信器を介して受信される。
【０１１１】
光部品は、光分割構造および複数の光受信器を含む。光分割構造は、第１光信号に含まれる第１波長の光信号および第２波長の光信号を、異なる光出射口を介して出力するように構成される。複数の光受信器は、異なる光出射口に配置され、各光出射口に光受信器が配置される。図３には受信端の構造が示され得る。本願では詳細について改めて説明しない。
【０１１２】
支持体６０１が配置されない、貫通孔６０５のもう一方の側には、第１光送信器が配置され、第１光送信器は、第３光信号をＡ番目の経路に沿って支持体６０１に送信する。Ａ番目の経路上の第３光信号が支持体６０１の第１光貫通孔７０５および第１接続孔７０３を通過することで、プラグイン端６０３は、第３光信号を受信することができる。
【０１１３】
任意選択で、支持体６０１と第１光送信器との間の貫通孔６０５には、第４フィルタが更に配置され、第４フィルタは、第３光信号を透過するように構成される。
【０１１４】
支持体６０１と第１光送信器との間のシェル６０４には、第２光送信器が更に配置され、第２光送信器は、第４光信号をＢ番目の経路に沿って支持体６０１に送信し、Ｂ番目の経路は、貫通孔６０５を通過する。貫通孔６０５内の、Ｂ番目の経路が貫通孔６０５と交差する位置には、第３フィルタが更に配置される。第２光送信器により送信される第４光信号は、第３フィルタの光分割面を照射し、第３フィルタは、第４光信号をＣ番目の経路に沿って反射する。Ｃ番目の経路上の第４光信号が支持体６０１の第１光貫通孔７０５および第１接続孔７０３を通過することで、プラグイン端６０３は、第４光信号を受信することができる。
【０１１５】
プラグイン端６０３は、ピン６０６を含み、ピン６０６には、プラグイン孔６０７が配置される。プラグイン端６０３の、支持体６０１に接続される側のプラグイン孔６０７には、フェルール６０８が更に配置され、フェルール６０８を使用することにより、対応する信号が受信または送信される。プラグイン端６０３の、支持体６０１から遠く離れている側のプラグイン孔６０７には、光ファイバが更に配置され、光ファイバを使用することにより、受信または送信される信号が伝送される。
【０１１６】
任意選択で、フェルール６０８は、第１接続孔７０３に配置され、第１接続孔７０３は、プラグイン端６０３およびフェルール６０８を位置決めするように構成される。フェルール６０８が第１接続孔７０３に配置される場合は、ピン６０６は、第１接続孔７０３が位置付けられる支持体６０１の端面に接して接続される。
【０１１７】
本願のこの特定の実施形態では、接続管本体上の第１光出射口および第２光出射口が代替的に、図４に示す光出射口と置換され得る。接続管本体上の第１光出射口は、第２光出射口と同じように配置される。本願では詳細について説明しない。
【０１１８】
本願のこの特定の実施形態では、前述の支持体６０１が光分割構造を含まないことは、本願の例に過ぎない。支持体６０１上には、光分割構造が代替的に配置され得る。支持体６０１が光分割構造を含む場合は、光出射口は、光分割構造を含まない。
【０１１９】
本願のこの特定の実施形態における支持体は、第１支持体および第２支持体を含んでよい。第１支持体は、図６および図７に示す支持体６０１であってよい。第２支持体は、光分割構造を設置するように構成され得る。以下では、本願のこの特定の実施形態で提供する第２支持体について詳述する。
【０１２０】
図８は、本願の特定の実施形態に係る第２支持体を示す。図８に示すように、第２支持体８０１は、第１光信号（第１波長の光信号および第２波長の光信号を含む）がコリメーションレンズを通過する方向に、第５フィルタ取り付け場所８０２を更に備え、第５フィルタ取り付け場所８０２には、第５フィルタが配置される。コリメーションレンズを通過する第１光信号は、第５フィルタ取り付け場所８０２に配置される第５フィルタを照射する。第５フィルタは、第１波長の光信号を透過し、第２波長の光信号を第３経路に沿って反射する。
【０１２１】
第５フィルタの断面が長方形である場合は、第５フィルタ取り付け場所８０２に配置される第５フィルタと第１光信号との間に夾角がある。一例では、第５フィルタ取り付け場所８０２の端面と、第５フィルタを通過する第１光信号との間の夾角が９０度に等しくない。すなわち、第１光信号は、第５フィルタを垂直に照射しない。第５フィルタ取り付け場所８０２の端面と、第５フィルタを通過する第１光信号との間の夾角は、第２支持体８０１内の各構造の特定の位置に基づいて設定される。本願ではこれについて限定しない。
【０１２２】
第２支持体８０１は、第１波長の光信号が第５フィルタを通過する方向に、第１収束レンズ取り付け場所８０６を更に備え、第１収束レンズ取り付け場所８０６には、第１収束レンズが配置される。第１収束レンズ取り付け場所８０６に配置される第１収束レンズは、第１収束レンズを照射する第１波長の光信号を、平行光から収束光に変換する。第１収束レンズ取り付け場所８０６に対応する接続管本体６０２上の第１光出射口上には、第１光受信器が更に配置され、第１光受信器は、第１波長の光信号を受信するように構成される。
【０１２３】
第２支持体８０１は、第５フィルタが第２波長の光信号を反射する方向に、第６フィルタ取り付け場所８０３を更に備え、第６フィルタ取り付け場所８０３には、第６フィルタが配置される。第６フィルタ取り付け場所８０３に配置される第６フィルタは、第２波長の光信号を第４経路に沿って反射し、第４経路は、第３経路と一致しない。実際の要件に応じて、第４経路の特定の位置が設定される。本願ではこれについて限定しない。
【０１２４】
任意選択で、第２支持体８０１は、第６フィルタが第２波長の光信号を反射する方向に、第７フィルタ取り付け場所８０４を更に備え、第７フィルタ取り付け場所８０４には、第７フィルタが配置される。第７フィルタは、第２波長の光信号以外の別の波長の光信号をフィルタリングするためのフィルタである。第７フィルタ取り付け場所８０４に配置される第７フィルタの反射面は、第６フィルタにより反射される第２波長の光信号に垂直である。
【０１２５】
第２支持体８０１は、第２波長の光信号が第７フィルタを通過する方向に、第２収束レンズ取り付け場所８０７を更に備え、第２収束レンズ取り付け場所８０７には、第２収束レンズが配置される。第２収束レンズ取り付け場所８０７に配置される第２収束レンズは、第２収束レンズを照射する第２波長の光信号を、平行光から収束光に変換する。第２収束レンズ取り付け場所８０７に対応する接続管本体６０２上には、第２光受信器が更に配置され、第２光受信器は、収束レンズを通過する第２波長の光信号を受信するように構成される。
【０１２６】
任意選択で、第６フィルタ取り付け場所８０３は、第５フィルタ取り付け場所８０２に平行であり、第６フィルタ取り付け場所８０３に配置される第６フィルタ８０５は、第５フィルタ取り付け場所８０２に配置される第５フィルタに平行であり、第５フィルタを通過する第１波長の光信号は、第６フィルタ８０５により反射される第２波長の光信号に平行である。第５フィルタを通過する第１波長の光信号を、第６フィルタ８０５により反射される第２波長の光信号に平行にすることで、第１収束レンズおよび第２収束レンズを互いに平行に配置することができ、第１光受信器および第２光受信器を互いに平行に配置することができる。
【０１２７】
図８に示す第２支持体の概略構造図には、代替的に、第１収束レンズ取り付け場所、第２収束レンズ取り付け場所、およびこれらの収束レンズ取り付け場所に配置される収束レンズが含まれない場合がある。第２支持体８０１が収束レンズ取り付け場所および収束レンズを含まない場合は、第１光受信器および第２光受信器はそれぞれ、収束レンズを含む。
【０１２８】
任意選択で、前述の支持体６０１および第２支持体８０１は、２つの独立した射出成型部分であってよく、どちらも接続管本体６０２に配置される。勿論、支持体６０１および第２支持体８０１は代替的に、全体を形成してもよい。代替的に、支持体６０１および第２支持体８０１は、同時に射出成型される支持体６０１と第２支持体８０１とを含む全体を形成してよい、または、支持体６０１および第２支持体８０１は、別々に射出成型されてから全体として接続される。
【０１２９】
本願では、一体的に成型された支持体と、構造の固定された接続管本体とを使用し、支持体を接続管本体に配置することで、光部品の構造がより単純になる。また、支持体および接続管本体により形成されるベースに様々な光デバイスが配置されることで、光部品の配置がより便利になる。更には、コリメーションレンズおよび支持体が一体的に射出成型されることで、光路に対するコリメーションレンズの位置がより正確になる。
【０１３０】
図９は、本願の特定の実施形態に係る支持体の概略図である。図９に示すように、支持体９０１は、図７に示す支持体６０１と、図８に示す第２支持体８０１とを含み、支持体６０１および第２支持体８０１は、全体を形成する。前述の支持体の構造は、図７および図８に示すものと同じである。本願では詳細について説明しない。
【０１３１】
勿論、図７から図９のベースと、当該ベースに含まれる支持体および接続管本体とは、本願のこの特定の実施形態における例に過ぎず、本願に対するいかなる制限も構成することはできない。本願のこの特定の実施形態では、特定の接続構造を使用することにより図２から図６の構造を全体として接続できる任意の構造が、本願のこの特定の実施形態におけるベースとして使用される。
【０１３２】
本願のこの特定の実施形態は、光モジュールに更に適用され得る。光モジュールは、図２から図９に示す光部品を含んでよい。
【０１３３】
本願のこの特定の実施形態は、通信デバイスに更に適用され得る。通信デバイスは、前述の光モジュールを含んでよい。通信デバイスは、ＯＬＴまたはＯＮＵであってもよいし、光モジュールが適用される任意の他の電子デバイスであってもよい。
【０１３４】
なお、本願で提供する実施形態は、本願に記載の任意選択的な実施形態に過ぎない。これに基づいて、当業者は、より多くの実施形態を自由に設計することができるため、詳細については本明細書で説明しない。
【０１３５】
別個の部分として記載されている光デバイスは、物理的に別個のものであってもなくてもよく、実際の要件に応じてこれらの構造の幾つかまたは全てを選択することで、実施形態の解決策の目的を達成することができる。
【０１３６】
また、本願の実施形態における光デバイスを統合して全体構造にしてもよいし、各光デバイスが物理的に単独で存在してもよいし、２つまたはそれより多くの光デバイスを統合して１つのユニットにしてもよい。
【０１３７】
前述の説明は本願の実装に過ぎず、本願の保護範囲を限定することを意図するものではない。本願において開示する技術的範囲内で当業者が容易に考え出す変形または置換はいずれも、本願の保護範囲に含まれるものとする。従って、本願の保護範囲は、特許請求の範囲の保護範囲に従うものとする。
【０１３８】
［他の考えられる項目］
［項目１］
ベースと、上記ベース上に配置される光分割構造、第１フィルタ、およびコリメーションレンズとを備える光部品であって、
上記ベースには、光入射口／光出射口が設けられ、上記第１フィルタの光分割面が、上記光入射口／光出射口に対向して配置され、第１経路上の第１光信号が、上記光入射口／光出射口を介して上記第１フィルタの上記光分割面に入射し、
上記第１フィルタの上記光分割面は、上記第１光信号を第２経路に沿って上記コリメーションレンズに反射し、上記第１経路は、上記第２経路と一致せず、上記コリメーションレンズは、上記第２経路上に配置され、上記コリメーションレンズは、上記第２経路上の上記第１光信号を平行光に変換するように構成され、
上記第１光信号に含まれる光信号が、少なくとも１つのタイプの波長を有し、上記光分割構造は、上記第１光信号が上記コリメーションレンズを通過した後の、上記第１光信号の出現経路上に配置され、上記波長のタイプに基づいて、上記コリメーションレンズにより調整される上記第１光信号を出力するように構成される、
光部品。
［項目２］
上記第１光信号は、第１波長の光信号および第２波長の光信号を含み、上記第１波長の光信号および上記第２波長の光信号は、異なる波長を有し、上記光分割構造は、第２フィルタおよび第３フィルタを有し、
上記第２フィルタは、上記第１波長の光信号および上記第２波長の光信号が上記コリメーションレンズを通過した後の、上記第１波長の光信号および上記第２波長の光信号の上記出現経路上に配置され、上記第２フィルタは、上記第１波長の光信号を透過し、上記第２波長の光信号を第３経路に沿って反射し、上記第３経路は、上記第２経路と一致せず、
上記第３フィルタは、上記第３経路上に配置され、上記第３フィルタは、上記第２波長の光信号を第４経路に沿って反射し、上記第４経路は、上記第３経路と一致せず、
上記ベースには、第１光出射口および第２光出射口が更に設けられ、上記第１光出射口は、上記第２フィルタが上記第１波長の光信号を透過する透過経路上に配置され、上記第１光出射口は、上記第１波長の光信号が通過するために使用され、上記第２光出射口は、上記第４経路上に配置され、上記第２光出射口は、上記第２波長の光信号が通過するために使用される、
項目１に記載の光部品。
［項目３］
上記光部品は、第１光受信器および第２光受信器を更に備え、上記第１光受信器は、上記第１光出射口の出現経路上に配置されて、上記第１波長の光信号を受信し、上記第２光受信器は、上記第２光出射口の出現経路上に配置されて、上記第２波長の光信号を受信する、項目２に記載の光部品。
［項目４］
上記第２経路は、上記第４経路に平行である、項目２に記載の光部品。
［項目５］
上記光分割構造は、第４フィルタを更に有し、上記第４フィルタは、上記第３フィルタと上記第２光出射口との間の上記第４経路上に配置され、上記第４フィルタは、上記第２波長の光信号を透過する、項目２に記載の光部品。
［項目６］
上記光部品は、上記ベース上に配置される第５フィルタを更に備え、上記ベースには、少なくとも１つの光入射口が設けられ、光信号は、各光入射口を通過し、上記第５フィルタを照射し、上記第５フィルタは、光入射口を通過する光信号を光入射口／光出射口に反射または透過し、上記光入射口を通過する光信号の波長は異なる、項目１に記載の光部品。
［項目７］
上記ベースには、２つの光入射口、すなわち、第１光入射口および第２光入射口が設けられ、上記第１光入射口は、上記光入射口／光出射口の反対側に配置され、第５経路上の第３光信号が、上記第１光入射口を通過し、上記光入射口／光出射口に入射し、
上記第５フィルタの光分割面が、上記第２光入射口に対向して配置され、第６経路上の第４光信号が、上記第２光入射口を介して上記第５フィルタの上記光分割面に入射し、上記第５フィルタは、上記第４光信号を第７経路に沿って上記光入射口／光出射口に反射する、
項目６に記載の光部品。
［項目８］
上記ベースは、接続管本体と、上記接続管本体上に配置される支持体とを有し、上記支持体は、第１支持体を含み、上記第１支持体は、上記第１フィルタおよび上記コリメーションレンズを固定するように構成され、上記光入射口／光出射口は、上記第１支持体上に配置される、項目１から７のいずれか一項に記載の光部品。
［項目９］
上記コリメーションレンズおよび上記第１支持体は、一体的に射出成型される、項目８に記載の光部品。
［項目１０］
上記支持体は、第２支持体を更に含み、上記第２支持体は、上記光分割構造を固定するように構成される、項目８または９に記載の光部品。
［項目１１］
上記光部品は、上記第２経路上に配置される第１収束レンズと、上記第４経路上に配置される第２収束レンズとを更に備え、上記第２支持体は、上記第１収束レンズおよび上記第２収束レンズを固定するように更に構成される、項目１０に記載の光部品。
［項目１２］
上記第１収束レンズおよび上記第２支持体は、一体的に射出成型され、上記第２収束レンズおよび上記第２支持体は、一体的に射出成型される、項目１１に記載の光部品。
［項目１３］
上記第１支持体および上記第２支持体は、一体的に射出成型される、項目１０から１２のいずれか一項に記載の光部品。
［項目１４］
上記光部品は、ピンおよびフェルールを更に備え、上記ピンには、フェルール孔が配置され、上記フェルール孔には、上記フェルールが固定され、上記ピンからは、上記フェルールの一端が突出し、上記光入射口／光出射口の内側には、上記ピンから突出する上記フェルールの端部が配置され、上記フェルールは、上記光入射口／光出射口により位置決めされる、項目１から１３のいずれか一項に記載の光部品。
［項目１５］
上記光部品は、上記ベース上に配置される多重化ベースの送信装置を更に備え、上記多重化ベースの送信装置は、上記光入射口／光出射口の反対側に配置され、上記多重化ベースの送信装置は、上記第５経路上の上記第３光信号および第４光信号を送信し、上記第５経路上の上記第３光信号および上記第４光信号は、上記光入射口／光出射口に送信される、項目１から１４のいずれか一項に記載の光部品。
［項目１６］
項目１から１５のいずれか一項に記載の光部品を備える光モジュール。
［項目１７］
項目１６に記載の光モジュールを備える通信デバイス。
【図１】
2021531505.tif 000003
【図２】
2021531505.tif 000004
【図３】
2021531505.tif 000005
【図４】
2021531505.tif 000006
【図５】
2021531505.tif 000007
【図６】
2021531505.tif 000008
【図７】
2021531505.tif 000009
【図８】
2021531505.tif 000010
【図９】
2021531505.tif 000011
【国際調査報告】
2021531505.tif 000012
2021531505.tif 000013
2021531505.tif 000014
2021531505.tif 000015